(57)【要約】【課題】  骨ができるだけ飛散しないように骨の破砕具合を目視しながら骨を破砕できるようにして、破砕力を調整し易くし、骨を所望の適当な大きさの粒に形成することができるようにする。【解決手段】  骨を出し入れ可能な開口２を有した容器１と、容器１を保持する保持体１０と、容器１内に入れられた骨を破砕する破砕手段２０とを備え、破砕手段２０を、容器１の一側壁３ａ内側に設けられ骨が当接する歯面を有した固定歯２１と、固定歯２１の歯面に対面し骨が当接する歯面を有するとともに容器１の一側壁３ａに対向する他側壁３ｂ内側に進退動可能に設けられ進出時に固定歯２１の歯面に対して骨を押圧する可動歯２５と、可動歯２５を進退動させる進退動機構３０とを備えて構成した。【選択図】  図１
0003149093.tif 000002
【実用新案登録請求の範囲】
【請求項１】
底壁及び側壁で構成され骨を出し入れ可能な開口を有した容器と、該容器を保持する保持体と、上記容器内に入れられた骨を破砕する破砕手段とを備えた骨破砕器において、
上記破砕手段を、上記容器の一側壁内側に設けられ骨が当接する歯面を有した固定歯と、該固定歯の歯面に対面し骨が当接する歯面を有するとともに上記容器の一側壁に対向する他側壁内側に進退動可能に設けられ進出時に上記固定歯の歯面に対して骨を押圧する可動歯と、該可動歯を進退動させる進退動機構とを備えて構成したことを特徴とする骨破砕器。
【請求項２】
上記進退動機構を、先端に上記可動歯が設けられ後端側が上記容器の他側壁に進退動可能に貫通保持されるロッドと、該ロッドの後端側と上記保持体との間に架設され該ロッドを後退方向に付勢するコイルスプリングと、上記保持体に回動軸を介して回動可能に軸支されるとともに一端部が上記ロッドに連係し回動させられて上記ロッドをコイルスプリングの付勢力に抗して進出させるレバーとを備えて構成したことを特徴とする請求項１記載の骨破砕器。
【請求項３】
上記ロッドの後端側とコイルスプリングとの間を、中間部が上記レバーの一端部に軸支されたリンク部材を介して連結し、上記レバーの一端部を、該レバーの回動時に上記ロッドの後端を押圧して該ロッドをコイルスプリングの付勢力に抗して進出させる押圧部として構成し、該レバーの他端部側を使用時に把持可能な把持部として構成したことを特徴とする請求項２記載の骨破砕器。
【請求項４】
上記保持体を、上記容器の他側壁外側に連接され上記レバーを回動可能に軸支する支持部と、該支持部から上記レバーの把持部とともに把持可能になるように延びるアームとを備えて構成したことを特徴とする請求項３記載の骨破砕器。
【請求項５】
上記固定歯及び可動歯の歯面を、尖った尖端を有した多数の突起を行列状に突設して形成したことを特徴とする請求項１乃至４いずれかに記載の骨破砕器。
【請求項６】
上記容器を、上記一側壁を構成し他を構成する一般側壁に対して一方面及び他方面を反転可能に着脱可能に設けられる板状の分離体を備えて構成し、該分離体の一方面に上記固定歯を設け、上記分離体の他方面に、該分離体の一方面に設けた固定歯の歯面とは形態の異なる歯面を有した別歯を設けたことを特徴とする請求項１乃至５いずれかに記載の骨破砕器。
【請求項７】
上記固定歯及び可動歯の歯面を、尖った尖端を有した多数の突起を行列状に突設して形成し上記可動歯の歯面を、尖った尖端を有した多数の突起を行列状に突設して形成し、
上記別歯の歯面を、先端が鋭角のエッジを形成する突条部を備えて構成したことを特徴とする請求項６記載の骨破砕器。
【請求項８】
上記容器の一般側壁の端部側に上記分離体が挿嵌されるスリットを形成し、上記一般側壁に上記スリットに挿嵌された分離体を解除可能にロックするロック機構を設けたことを特徴とする請求項６または７記載の骨破砕器。
【考案の詳細な説明】
【技術分野】
【０００１】
本考案は、主に人体の適所から取り出した骨を生体内の補綴箇所へ移植する際等に使用される骨破砕器に係り、特に、骨を所望のサイジングに破砕する骨破砕器に関する。
【背景技術】
【０００２】
一般に、例えば、歯科治療の分野において、インプラントの手術に際し、口腔内から自家骨を取り出し、これを骨破砕器を用いて破砕し、適宜のバインダと混合して所要の補綴箇所へ移植することを行っている。
従来、この種の骨破砕器としては、例えば、骨を出し入れ可能な開口を有した容器と、開口から容器内に挿入され押圧あるいは回転させられて容器内に入れられた骨を破砕する破砕体とを備えたものがある。この骨破砕器の使用時には、先ず、開口から容器内に骨を入れ、次に、破砕体を開口から挿入して塞ぎ、その後、破砕体を手動で操作するなどして容器内の骨を破砕するようにしている（例えば、特表２００８−５３４１９１号公報等に掲載）。
【０００３】
【特許文献１】特表２００８−５３４１９１号公報
【考案の開示】
【考案が解決しようとする課題】
【０００４】
しかしながら、この従来の骨破砕器においては、破砕体により骨を破砕する際、開口が塞がれているので、骨が外部に飛散することはないが、容器内を目視することができないので、容器内の骨の破砕具合を確認しながら破砕することができないという問題があった。そのため、破砕体の操作において破砕体に加える力加減を調整しにくく、骨を所望の適当な大きさの粒に形成することが難しいという問題があった。
【０００５】
本考案は、このような問題点に鑑みてなされたもので、骨ができるだけ飛散しないように骨の破砕具合を目視しながら骨を破砕できるようにして、破砕力を調整し易くし、骨を所望の適当な大きさの粒に形成することができるようにした骨破砕器を提供することを目的とする。
【課題を解決するための手段】
【０００６】
このような目的を達成するため、本考案の骨破砕器は、底壁及び側壁で構成され骨を出し入れ可能な開口を有した容器と、該容器を保持する保持体と、上記容器内に入れられた骨を破砕する破砕手段とを備えた骨破砕器において、
上記破砕手段を、上記容器の一側壁内側に設けられ骨が当接する歯面を有した固定歯と、該固定歯の歯面に対面し骨が当接する歯面を有するとともに上記容器の一側壁に対向する他側壁内側に進退動可能に設けられ進出時に上記固定歯の歯面に対して骨を押圧する可動歯と、該可動歯を進退動させる進退動機構とを備えて構成している。
【０００７】
これにより、骨を破砕するときは、開口から骨を容器内に入れ、進退動機構により可動歯を他側壁から一側壁に向けて進出させる。可動歯を進出させると、可動歯の歯面が容器内に入れられた骨に当接し、この骨が固定歯の歯面に向けて移動させられ、固定歯の歯面に押圧させられるようになる。即ち、固定歯と可動歯とで骨が挾圧されて破砕されるようになる。一度破砕した後、可動歯を後退させ、再び可動歯を進出させて破砕された骨を更に破砕し、この動作を数回繰り返して骨を所望の適当な大きさの粒に形成する。このとき、固定歯及び可動歯は容器の側壁に設けられているので、開口を塞ぐことがなく、骨の破砕時に容器内を開口から目視することができる。そのため、骨の破砕具合を目視により確認しながら骨を破砕できるようになるので、進退動機構による骨の破砕力を調整し易くなり、骨を所望の適当な大きさの粒に形成することができる。また、固定歯と可動歯とで破砕された骨は、破砕時にはじけて容器外に飛散しようとするが、容器の側壁に当たって容器内に落ちるようになるので、骨の容器外への飛散を防止することができる。更に、可動歯の歯面と固定歯の歯面とで骨を挾圧するので骨を容易に破砕することができる。
【０００８】
そして、必要に応じ、上記進退動機構を、先端に上記可動歯が設けられ後端側が上記容器の他側壁に進退動可能に貫通保持されるロッドと、該ロッドの後端側と上記保持体との間に架設され該ロッドを後退方向に付勢するコイルスプリングと、上記保持体に回動軸を介して回動可能に軸支されるとともに一端部が上記ロッドに連係し回動させられて上記ロッドをコイルスプリングの付勢力に抗して進出させるレバーとを備えて構成している。
これにより、可動歯を進出させるときは、レバーを回動軸を中心に回動させ、ロッドをコイルスプリングの付勢力に抗して進出させることにより行なう。また、可動歯を後退させるときは、レバーの回動に係る力を停止させる。これによって、コイルスプリングの付勢力によりロッドが後退させられる。即ち、レバーを操作するだけで、ロッド及び可動歯を進退動させることができるので、進退動機構を比較的簡易な構成とすることができる。そのため、骨の破砕具合を目視により確認しながらの操作性が向上させられ、骨の破砕加減をより一層調整し易くすることができる。
【０００９】
また、必要に応じ、上記ロッドの後端側とコイルスプリングとの間を、中間部が上記レバーの一端部に軸支されたリンク部材を介して連結し、上記レバーの一端部を、該レバーの回動時に上記ロッドの後端を押圧して該ロッドをコイルスプリングの付勢力に抗して進出させる押圧部として構成し、該レバーの他端部側を使用時に把持可能な把持部として構成している。
これにより、把持部を把持してレバーを回動させると、押圧部がロッドの後端を押圧するとともに、レバーに軸支されているリンク部材がロッドの進出方向に移動させられ、このリンク部材の移動によりコイルスプリングが引張され、ロッドをコイルスプリングの付勢力に抗して進出させる。また、把持部の把持を解除すると、引張されていたコイルスプリングの付勢力によってリンク部材がロッドの後退方向に移動させられ、このリンク部材の移動によりロッドが後退させられるとともに、リンク部材に軸支されているレバーが初期位置に戻される。この場合、リンク部材を用いたので、作動が円滑になり、レバーでの操作性が向上させられる。
【００１０】
更に、必要に応じ、上記容器の他側壁外側に連接され上記レバーを回動可能に軸支する支持部と、該支持部から上記レバーの把持部とともに把持可能になるように延びるアームとを備えて構成している。
これにより、レバーの把持部をアームとともに把持することができるので、例えば、レバーを手動で操作する際に、片手で操作することができ、そのため、レバーを操作し易くなるとともに、可動歯を容易に進退動させることができる。
【００１１】
更にまた、必要に応じ、上記固定歯及び可動歯の歯面を、尖った尖端を有した多数の突起を行列状に突設して形成した構成としている。尖った尖端を有した多数の突起同士が対面して、骨を挾圧して破砕するので、破砕が容易に行われるとともに、多数の突起で骨が押えられるので、飛散もしにくくなる。
【００１２】
そしてまた、必要に応じ、上記容器を、上記一側壁を構成し他を構成する一般側壁に対して一方面及び他方面を反転可能に着脱可能に設けられる板状の分離体を備えて構成し、該分離体の一方面に上記固定歯を設け、上記分離体の他方面に、該分離体の一方面に設けた固定歯の歯面とは形態の異なる歯面を有した別歯を設けた構成としている。
これにより、分離体の一方面及び他方面を反転させて、可動歯に対して、固定歯あるいは別歯を選択できる。そのため、歯の選択により、骨の破砕形態や大きさなどを調整することができ、それだけ、骨を所望の適当な大きさの粒に形成し易くなる。
【００１３】
この場合、上記固定歯及び可動歯の歯面を、尖った尖端を有した多数の突起を行列状に突設して形成し上記可動歯の歯面を、尖った尖端を有した多数の突起を行列状に突設して形成し、上記別歯の歯面を、先端が鋭角のエッジを形成する突条部を備えて構成したことが有効である。
これにより、骨を破砕するときは、例えば、先ず、分離体をその他方面が可動歯に対峙するように一般側壁に取り付ける。この状態で可動歯を進出させると、容器内の骨は可動歯と別歯とによって挾圧される。この場合、別歯の歯面は突条部で形成されるので、突条部で骨を剪断するようになることから、骨がある程度大きくても比較的大きな骨片に容易に分断することができ、その後の破砕を容易にすることができる。次に、分離体を一般側壁から取り外して反転させ、その一方面が可動歯に対峙するように一般側壁に取り付ける。この状態で可動歯を進出させると、容器内の骨は可動歯と固定歯とによって挾圧されて破砕される。一度破砕した骨片を更に破砕するので、破砕し易くなるとともに、手動で可動歯を進退動させる際、比較的小さな力で進退動させることができる。
【００１４】
また、必要に応じ、上記容器の一般側壁の端部側に上記分離体が挿嵌されるスリットを形成し、上記一般側壁に上記スリットに挿嵌された分離体を解除可能にロックするロック機構を設けた構成としている。
これにより、分離体を一般側壁に取り付けるときは、スリットに分離体を挿嵌させ、その後、ロック機構により分離体を一般側壁にロックする。また、分離体を一般側壁から取り外すときは、ロック機構を解除し、その後、スリットから分離体を抜き出す。分離体の一般側壁への取り付け，取り外しを比較的容易に行なうことができる。また、分離体は、スリットに挿嵌されるとともにロック機構でロックされるので、可動歯によって一側壁としての分離体が押圧されても、確実に分離体を一般側壁に固定させることができる。
【考案の効果】
【００１５】
本考案の骨破砕器によれば、骨を容器内で破砕する際には、進退動機構により可動歯を進退動させるが、固定歯及び可動歯は容器の側壁に設けられているので、開口を塞ぐことがなく、骨の破砕時に容器内を開口から目視することができる。そのため、骨の破砕具合を目視により確認しながら骨を破砕できるようになるので、進退動機構による骨の破砕力を調整し易くなり、骨を所望の適当な大きさの粒に形成することができる。また、固定歯と可動歯とで破砕された骨は、破砕時にはじけて容器外に飛散しようとするが、容器の側壁に当たって容器内に落ちるようになるので、骨の容器外への飛散を防止することができる。更に、可動歯の歯面と固定歯の歯面とで骨を挾圧するので骨を容易に破砕することができる。
【考案を実施するための最良の形態】
【００１６】
以下、添付図面に基づいて本考案の実施の形態に係る骨破砕器を説明する。
図１乃至図６には、本考案の実施の形態に係る骨破砕器を示している。本骨破砕器Ｓは、歯科治療、特に、インプラント手術の際に使用する骨を破砕するときに用いられるもので、骨を出し入れ可能な開口２を有した容器１と、容器１を保持する保持体１０と、容器１内に入れられた骨を破砕する破砕手段２０とを備えて構成されている。
【００１７】
容器１は、底壁１ａ及び底壁１ａの側縁から立ち上がる側壁３で構成されている。側壁３は、一側壁３ａ，他側壁３ｂ及び一側壁３ａと他側壁３ｂとに架け渡される一対の架設壁３ｃで構成されている。一対の架設壁３ｃは、他側壁３ｂ及び底壁１ａに夫々一体形成されている。また、一側壁３ａは、一方面４及び他方面５を反転可能に他を構成する一般側壁６（底壁１ａ，他側壁３ｂ及び一対の架設壁３ｃ）に対して着脱可能に設けられる板状の分離体７で構成されている。
【００１８】
また、架設壁３ｃの端部側には開口２側から分離体７の両側部が挿嵌されるスリット８が形成されており、架設壁３ｃの端面にスリット８に挿嵌された分離体７を解除可能にロックするロック機構９が設けられている。このロック機構９は、頭部を備え雄ネジを有したロックボルト９ａと、一般側壁６の端面からスリット８に貫通して形成されロックボルト９ａの雄ネジが螺合される雌ネジ９ｂとから構成されている。
【００１９】
破砕手段２０は、容器１の一側壁３ａ内側に設けられ骨が当接する歯面を有した固定歯２１と、固定歯２１の歯面に対面し骨が当接する歯面を有するとともに容器１の一側壁３ａに対向する他側壁３ｂ内側に進退動可能に設けられ進出時に固定歯２１の歯面に対して骨を押圧する可動歯２５と、可動歯２５を進退動させる進退動機構３０とを備えて構成されている。
【００２０】
固定歯２１は、板状に形成され、分離体７の一方面４に着脱可能に固定されている。固定歯２１の歯面は、尖った尖端を有した多数の突起２２を行列状に突設して形成されている。
また、分離体７の他方面５には、分離体７の一方面４に設けた固定歯２１の歯面とは形態の異なる歯面を有した別歯２３が設けられている。この別歯２３の歯面は、先端が鋭角のエッジを形成する突条部２４を備えて構成されている。突条部２４は他方面５の中央に突設されている。
可動歯２５は、固定歯２１と同様に、板状に形成され、その歯面は、尖った尖端を有した多数の突起２２を行列状に突設して形成されている。
【００２１】
進退動機構３０は、先端に可動歯２５が設けられ後端側が容器１の他側壁３ｂに設けた貫通孔３１に進退動可能に貫通保持されるロッド３２と、ロッド３２の後端側と保持体１０との間にリンク部材３５を介して架設されロッド３２を後退方向に付勢するコイルスプリング４０と、保持体１０に回動軸５１を介して回動可能に軸支されるとともに一端部がロッド３２に連係し回動させられてロッド３２をコイルスプリング４０の付勢力に抗して進出させるレバー５０とを備えて構成されている。
【００２２】
詳しくは、ロッド３２の先端部側には、可動歯２５の裏面に一体に設けられた支持軸２６が嵌合される嵌合孔３３が形成されており、可動歯２５は、この支持軸２６をロッド３２の嵌合孔３３に嵌合させ、その後、ロッド３２の外側面からセットスクリュー３４を捻じ込んで抜け止めすることにより、ロッド３２に固定されている。
【００２３】
また、図５に示すように、リンク部材３５は、ロッド３２の後端側とコイルスプリング４０との間に設けられ、中間部がレバー５０の一端部に形成されたスリット５２に挿通され、ピン３６により軸支されている。リンク部材３５のロッド３２側は、ロッド３２の後端側に形成されたスリット３２ａに挿通されている。リンク部材３５のロッド３２側には長孔３７が形成されており、この長孔３７にロッド３２の後端側に設けられスリット３２ａに臨む軸３８を挿通させて、リンク部材３５のロッド３２側は、ロッド３２に連結されている。リンク部材３５のコイルスプリング４０側には、コイルスプリング４０の一端が係止される係止孔３９が設けられており、この係止孔３９にコイルスプリング４０の一端が係止することにより、リンク部材３５はコイルスプリング４０に連結されている。
【００２４】
更に、レバー５０において、その一端部は、レバー５０の回動時にロッド３２の後端を押圧して該ロッド３２をコイルスプリング４０の付勢力に抗して進出させる押圧部５３として構成され、その他端部側は使用時に把持可能な把持部５４として構成されている。
更にまた、保持体１０は、容器１の他側壁３ｂ外側に連接されレバー５０を回動可能に軸支する支持部１１と、支持部１１からレバー５０の把持部５４とともに把持可能になるように延びるアーム１２とを備えて構成されている。
支持部１１は、一対の上下部を備えて断面コ字状に形成され、一対の上下部間にレバー５０の一端部（押圧部５３）が介装されている。そして、この支持部１１の上下部間に回動軸５１が設けられ、レバー５０は、これに設けた軸挿通孔５６を回動軸５１に軸支することにより、支持部１１に回動可能に設けられる。
また、アーム１２には、コイルスプリング４０の他方側が取り付けられる雄ネジからなるコイルスプリング取付部１３が形成されている。これにより、コイルスプリング４０は、リンク部材３５を介して、ロッド３２の後端側とアーム１２との間に設けられる。
【００２５】
従って、この実施の形態に係る骨破砕器Ｓを用いて骨を破砕するときは、以下のようにする。本発明の骨破砕器Ｓを使用するにあたり、予め、人体の適所から周知の方法で所望量の骨を採取しておく。ここでは、採取した骨が、比較的大きい場合について説明する。
【００２６】
先ず、例えば、図６に示すように、分離体７をその他方面５が可動歯２５に対峙するように一般側壁６に取り付ける。取り付けは、スリット８に分離体７を挿嵌させ、その後、雌ネジ９ｂにロックボルト９ａをねじ込んで、分離体７を一般側壁６にロックする。
【００２７】
この状態で、開口２から骨を容器１内に入れ、進退動機構３０により可動歯２５を他側壁３ｂから一側壁３ａに向けて進出させる。詳しくは、片手でレバー５０の把持部５４をアーム１２とともに把持し、把持した手を握るようにしてレバー５０を回動軸５１を中心にアーム１２側に回動させる。レバー５０を回動させると、押圧部５３がロッド３２の後端を押圧するとともに、レバー５０に軸支されているリンク部材３５がロッド３２の進出方向に移動させられ、このリンク部材３５の移動によりコイルスプリング４０が引張され、ロッド３２をコイルスプリング４０の付勢力に抗して進出させることができる。ロッド３２の進出により、ロッド３２の先端に取り付けられている可動歯２５を他側壁３ｂから一側壁３ａに向けて進出させることができる。レバー５０を片手で操作することができるので、レバー５０を操作し易く、そのため、可動歯２５を容易に進退動させることができる。また、レバー５０を操作するだけで、ロッド３２及び可動歯２５を進退動させることができるので、進退動機構３０を比較的簡易な構成とすることができる。
【００２８】
可動歯２５を進出させると、可動歯２５の歯面が容器１内に入れられた骨に当接し、この骨を分離体７の他方面５に向けて移動させ、別歯２３の突条部２４に骨を押圧するようになる。これにより、容器１内の骨は可動歯２５と別歯２３とによって挾圧され、別歯２３の歯面は突条部２４で形成されるので、突条部２４で骨を剪断するようになることから、骨がある程度大きくても比較的大きな骨片に容易に分断することができ、その後の破砕を容易にすることができる。
【００２９】
骨を破砕して複数の骨片にしたならば、手の握る力を緩め、レバー５０を回動軸５１を中心に回動させて初期位置に戻す。詳しくは、握る力を緩めると、引張されていたコイルスプリング４０の付勢力によってリンク部材３５がロッド３２の後退方向に移動させられ、このリンク部材３５の移動によりロッド３２が後退させられるとともに、リンク部材３５に軸支されているレバー５０が初期位置に戻される。
【００３０】
次に、分離体７を一般側壁６から取り外す。取り外しは、ロックボルト９ａの螺合を解除し、スリット８から分離体７を抜き出すことにより行なう。そして、分離体７を、その一方面４と他方面５とを反転させ、図１乃至図３に示すように、一方面４が可動歯２５に対峙するように一般側壁６に取り付ける。取り付けは、上記と同様に行なう。
【００３１】
この状態で、上記と同様にレバー５０を回動軸５１を中心にアーム１２側に回動させて、可動歯２５を他側壁３ｂから一側壁３ａに向けて進出させる。可動歯２５を進出させると、可動歯２５の歯面が容器１内に入れられている複数の骨片に当接し、この複数の骨片を固定歯２１の歯面に向けて移動させ、固定歯２１の歯面に複数の骨片を押圧するようになる。即ち、固定歯２１と可動歯２５とで骨片を挾圧して破砕するようになる。
骨片を一度破砕した後、上記と同様にして可動歯２５を後退させ、再び可動歯２５を進出させて破砕された骨片を更に破砕し、この動作を数回繰り返して骨を所望の適当な大きさの粒に形成していく。
【００３２】
このとき、固定歯２１は容器１の一側壁３ａに設けられており、可動歯２５は容器１の他側壁３ｂに設けられているので、開口２を塞ぐことがなく、骨の破砕時に容器１内を目視することができるので、骨の破砕具合を目視して確認しながら骨片を破砕できるようになり、そのため、進退動機構３０による骨の破砕力を調整し易くなり、骨を所望の適当な大きさの粒に形成することができる。また、固定歯２１と可動歯２５とで破砕された骨は、破砕時にはじけて容器１外に飛散しようとするが、容器１の側壁３に当たって容器１内に落ちるようになるので、骨の容器１外への飛散を防止することができる。更に、可動歯２５の歯面と固定歯２１の歯面とで骨を挾圧するので骨を容易に破砕することができる。更にまた、可動歯２５と突条部２４とで一度破砕した骨片を更に破砕するので、破砕し易くなるとともに、手動で可動歯２５を進退動させる際、比較的小さな力で進退動させることができる。
【００３３】
本骨破砕器Ｓを繰り返し使用すると、固定歯２１及び可動歯２５が劣化したり破損したりする場合がある。この場合、固定歯２１及び可動歯２５は着脱可能に取り付けられているので交換することができる。
【００３４】
尚、上記実施の形態において、先に、別歯２３を用いて骨を破砕したが、骨が比較的小さければ、必ずしも、別歯を用いることなく、最初から固定歯２１で破砕するようにしてよい。本骨破砕器Ｓを歯科治療、特に、インプラント手術の際に用いたが、必ずしもこれに限定されるものではなく、例えば、顔面手術の際等に使用しても良く、適宜変更して差支えない。
【図面の簡単な説明】
【００３５】
【図１】本考案の実施の形態に係る骨破砕器を示す斜視図である。
【図２】本考案の実施の形態に係る骨破砕器を示し、（ａ）はレバーが開状態の正面部分断面図、（ｂ）は平面図である。
【図３】本考案の実施の形態に係る骨破砕器を示し、（ａ）はレバーが閉状態の側面図、（ｂ）はレバーが閉状態の正面部分断面図である。
【図４】本考案の実施の形態に係る骨破砕器の分離体の構成を示し、（ａ）は一方面側から見た斜視図、（ｂ）は他方面側から見た斜視図である。
【図５】本考案の実施の形態に係る骨破砕器の要部分解斜視図である。
【図６】本考案の実施の形態に係る骨破砕器を、分離体を反転させて用いる場合を示す正面部分断面図である。
【００３６】
Ｓ  骨破砕器
１  容器
１ａ  底壁
２  開口
３  側壁
３ａ  一側壁
３ｂ  他側壁
３ｃ  架設壁
４  一方面
５  他方面
６  一般側壁
７  分離体
８  スリット
９  ロック機構
１０  保持体
１１  支持部
１２  アーム
１３  コイルスプリング取付部
２０  破砕手段
２１  固定歯
２２  突起
２３  別歯
２４  突条部
２５  可動歯
２６  支持軸
３０  進退動機構
３１  貫通孔
３２  ロッド
３５  リンク部材
４０  コイルスプリング
５０  レバー
５１  回動軸
５３  押圧部
５４  把持部
【図１】
0003149093.tif 000003
【図２】
0003149093.tif 000004
【図３】
0003149093.tif 000005
【図４】
0003149093.tif 000006
【図５】
0003149093.tif 000007
【図６】
0003149093.tif 000008